(57)【要約】【課題】  無線端末機において、１回の充電でより長い時間にわたって使用できるようにするとともに、着信時、迅速に応答できるようにする。【解決手段】  親機４０との間はブルートゥースを用いて接続する。充電式電池２５も残量を検出する検出回路２８を設ける。待機時、送受信回路を低消費電力モードに遷移させる。検出回路２８の検出した充電式電池２５の残量にしたがって、低消費電力モードをスニフモードと、パークモードとの間で変更するとともに、親機４０からの送信信号を間欠受信するときのインターバル値を変更する。【選択図】  図１
2006254317.tif 000002
【特許請求の範囲】
【請求項１】
充電式電池を動作電源とする無線端末機であって、
親機との間の通信をブルートゥースを用いて実行する送受信回路と、
上記充電式電池の残量を検出する検出回路と
を有し、
待機時、上記送受信回路を低消費電力モードに遷移させ、
上記検出回路の検出した上記充電式電池の残量にしたがって、上記低消費電力モードをスニフモードと、パークモードとの間で変更するとともに、
上記親機からの送信信号を間欠受信するときのインターバル値を変更する
ようにした無線端末機。
【請求項２】
請求項１に記載の無線端末機において、
上記充電式電池の残量が第１の値よりも多いときには、上記低消費電力モードをスニフモードに設定するとともに、上記インターバル値を短く設定し、
上記充電式電池の残量が上記第１の値よりも少なく、かつ、その第１の値よりも少ない第２の値よりも多いときには、上記低消費電力モードをスニフモードに設定するとともに、上記インターバル値を長く設定し、
上記充電式電池の残量が上記第２の値よりも少なく、かつ、その第２の値よりも少ない第３の値よりも多いときには、上記低消費電力モードをパークモードに設定するとともに、上記インターバル値を短く設定し、
上記充電式電池の残量が上記第３の値よりも少ないときには、上記低消費電力モードをパークモードに設定するとともに、上記インターバル値を長く設定する
ようにした無線端末機。
【発明の詳細な説明】
【技術分野】
【０００１】
この発明は無線端末機に関する。
【背景技術】
【０００２】
無線端末機、例えばコードレス電話機の子機（ハンドセット）は、一般に充電式電池を電源として動作している。そこで、その充電式電池の１回の充電で長い時間にわたって子機を使用できるようにする方法として、間欠受信が考えられている。
【０００３】
これは、子機の待機時、数十ｍ秒の期間だけ受信回路を動作状態として親機からの接続要求をチェックする動作と、数秒の期間にわたって、ほとんどすべての回路の電源をオフにする動作とを交互に繰り返すものである。つまり、このようにすれば、待機時における平均の消費電流を低減することができるので、１回の充電で子機をより長い時間にわたって使用することができる。
【０００４】
さらに、この間欠受信における電源オフの期間を、電池の残量に応じて変更する方法も考えられている。
【０００５】
なお、先行技術文献として例えば以下のものがある。
【特許文献１】特開平８−１６３０２１号公報
【発明の開示】
【発明が解決しようとする課題】
【０００６】
ところが、親機と子機との間の通信をブルートゥースを用いて実現する場合、単に電池の残量に応じて間欠受信の電源オフの期間を変更すると、無駄な電力消費が発生することがある。
【０００７】
この発明は、このような問題点を解決しようとするものである。
【課題を解決するための手段】
【０００８】
この発明においては、
充電式電池を動作電源とする無線端末機であって、
親機との間の通信をブルートゥースを用いて実行する送受信回路と、
上記充電式電池の残量を検出する検出回路と
を有し、
待機時、上記送受信回路を低消費電力モードに遷移させ、
上記検出回路の検出した上記充電式電池の残量にしたがって、上記低消費電力モードをスニフモードと、パークモードとの間で変更するとともに、
上記親機からの送信信号を間欠受信するときのインターバル値を変更する
ようにした無線端末機
とするものである。
【発明の効果】
【０００９】
この発明によれば、充電式電池の残量に応じて低消費電力モードをスニフモードとパークモードとの間で切り換えるとともに、親機からの送信信号を間欠受信するときのインターバル値を変更しているので、着信時、１回の充電でより長い時間にわたって端末機を使用することができるとともに、充電式電池の残量が多いほど迅速な応答ができる。
【発明を実施するための最良の形態】
【００１０】
図１において、符号１０は、この発明によるコードレス電話機の子機の一例を示し、符号３０はその充電台、符号４０は親機を示す。この場合、子機１０および親機４０は、ブルートゥースにおけるピコネットを構成するとともに、子機１０がスレーブ、親機４０がマスタとされる。このため、子機１０は、送話器１１、受話器１２、デジタル処理回路１３および送受信回路１４を有する。
【００１１】
そして、通話時には、送話器１１からの音声信号がデジタル処理回路１３に供給されてデジタル音声データにＡ／Ｄ変換されるとともに、データ圧縮などの所定のデジタル処理が行われ、そのデジタル信号が送受信回路１４により送信信号に変換されて送受信アンテナ１５に供給され、親機４０へと送信される。そして、親機４０においては、子機１０からの送信信号が受信されてもとの音声信号が取り出され、この音声信号が電話回線５０へと送り出される。
【００１２】
また、相手の電話機からの音声信号が、電話回線５０から親機４０に供給されて送信信号とされて子機１０へと送信される。そして、子機１０においては、その送信信号が送受信アンテナ１５により受信されて送受信回路１４に供給され、送受信回路１４からはもとのデジタル信号が取り出される。このデジタル信号がデジタル処理回路１３に供給され、データ伸張およびＤ／Ａ変換などが行われてもとの音声信号が取り出され、この音声信号が受話器１２に供給される。なお、子機１０と親機４０との間で送受信されるデジタル信号およびその送受信信号は、ブルートゥースの規格あるいは仕様にしたがったフォーマットとされる。
【００１３】
さらに、システム制御回路２１がマイクロコンピュータにより構成され、この制御回路２１には、表示部２２と、操作部２３と、リンガ２４とが接続される。この場合、表示部２２は、相手の電話番号などを表示するためのものであり、操作部２３は、相手の電話番号の入力やオンフック・オフフックなどを行うためのものである。さらに、リンガ２４は着呼を通知するためのものである。
【００１４】
そして、発信や着信などの状況に応じて、制御回路２１と、デジタル処理回路１３および送受信回路１４との間で各種のコマンドやデータがやりとりされるとともに、制御回路２１によりデジタル処理回路１３および送受信回路１４の動作が制御される。
【００１５】
さらに、子機１０には電源用の充電式電池として例えばリチウム・イオン電池２５が設けられ、この電池２５の出力電圧が各部にその動作電圧として供給される。また、子機１０に充電接点２６が設けられるとともに、充電台３０の出力接点３１に充電電圧が取り出される。そして、子機１０を充電台３０にセットしたとき、接点２６が接点３１に接触し、接点３１の充電電圧が接点２６を通じて電池２５に供給され、電池２５の充電が行われる。
【００１６】
また、リチウム・イオン電池２５の端子電圧の大きさは、電池２５の残量Ｅ25に対応して変化するので、電池２５の端子電圧の大きさが検出回路２８により検出され、その検出出力が制御回路２１に電池２５の残量Ｅ25を示す信号として供給される。
【００１７】
そして、待機時には、制御回路２１により子機１０は低消費電力モードに遷移させられるとともに、電池２５の残量に応じて子機１０の動作が例えば図２に示すように制御される。すなわち、ブルートゥースにおける低消費電力モードには、スニフモードとパークモードとがある。
【００１８】
そして、スニフモードでは、マスタ（親機４０）はスレーブ（子機１０）に対し、一定の間隔でパケットを送信する。スレーブは定期的にアクティブになり、パケットを受信すると、パケットの受信の状態を続けるが、自分向けのパケットがなければ、次のパケット受信間隔まで待機する。また、パークモードでは、スレーブはマスタと同期を取り続けるが、アクティブではない。この結果、スニフモードは、パークモードに比べ、応答は速いが電力の消費が多く、パークモードは、スニフモードに比べ、応答は遅いが、電力の消費は少ない。
【００１９】
なお、スニフモードとパークモードとの間での省電力モードの変更、省電力モードへの移行、通常モードへの復帰は、マスタあるいはスレーブが単独で決定するものではなく、双方の合意のもとで設定されるものであるが、以下においては、簡単のため、その手順については説明を省略する。
【００２０】
そこで、図２の第１行に示すように、電池２５の残量Ｅ25が、第１の規定値ＥAよりも多いときには、子機１０を低消費電力モードにおけるスニフモードに設定するとともに、子機１０が親機４０からの送信信号を間欠受信するときの時間間隔、つまり、インターバル値（受信間隔）を短く設定する。また、図２の第２行に示すように、電池２５の残量Ｅ25が、第１の規定値ＥA以下で、第２の規定値ＥB（ＥA＞ＥB）よりも多いときには、子機１０を低消費電力モードにおけるスニフモードに設定するとともに、子機１０の間欠受信のインターバル値を長く設定する。
【００２１】
さらに、図２の第３行に示すように、電池２５の残量Ｅ25が、第２の規定値ＥB以下で、第３の規定値ＥC（ＥB＞ＥC）よりも多いときには、子機１０を低消費電力モードにおけるパークモードに設定するとともに、子機１０の間欠受信のインターバル値を短く設定する。そして、図２の第４行に示すように、電池２５の残量Ｅ25が、第３の規定値ＥC以下のときには、子機１０を低消費電力モードにおけるパークモードに設定するとともに、子機１０の間欠受信のインターバル値を長く設定する。
【００２２】
このような構成によれば、待機時、子機１０は低消費電力モードで待機するとともに、電池２５の残量Ｅ25に応じて図２に示すように動作が制御されるが、このとき、パークモードはスニフモードよりも消費電力が小さい。また、間欠受信のインターバル値が長くなれば、平均の消費電力は減少する。
【００２３】
したがって、待機時における子機１０の消費電流は、電池２５の残量Ｅ25に応じて図２の右側の欄に示すように変化することになり、この結果、電池２５の消耗を抑えることができ、１回の充電でより長い時間にわたって子機１０を使用することができる。
【００２４】
また、スニフモードとパークモードとでは、通常モードへの復帰方法が異なり、スニフモードはパークモードよりも復帰に必要な時間が短くなるが、電池２５の残量が多い場合には、そのスニフモードで待機するので、しかも、受信のインターバル値も短いので、着信があったとき、速やかに子機１０のリンガ２４を鳴らすことができ、子機１０の使用者は迅速な応答ができる。
【００２５】
さらに、スニフモードとパークモードとを切り換えるとともに、ブルートゥースにおける間欠受信のインターバル値を制御して電池２５の消耗を抑えているので、単に電池の残量に応じて間欠受信の電源オフの期間を変更する場合のような無駄な電力消費の発生することがない。
【００２６】
こうして、上述の子機１０においては、電池２５の残量に応じて待機時の低消費電力モードを切り換えるとともに、受信のインターバル値を変更しているので、１回の充電でより長い時間にわたって子機１０を使用することができるとともに、着信時、電池２５の残量が多いほど迅速な応答ができる。
【００２７】
図３において、符号１００は、図２の制御を実現する制御ルーチンの一例を示す。すなわち、この制御ルーチン１００は、制御回路２１において、これを構成するマイクロコンピュータにより実行されるものである。そして、子機１０が待機モードに入ると、そのマイクロコンピュータの処理がルーチン１００のステップ１０１からスタートし、次にステップ１０２において、検出回路２８の検出出力が残量Ｅ25として取り込まれる。
【００２８】
続いて、ステップ１０３において、ステップ１０２により取り込まれた残量Ｅ25が規定値ＥAよりも多いか否かが判別され、多いときには、処理はステップ１０３からステップ１１１に進み、子機１０は低消費電力モードにおけるスニフモードに設定されるとともに、間欠受信のインターバル値が短い値に設定される。そして、その後、ステップ１１５によりルーチン１００を終了する。
【００２９】
また、ステップ１０３において、残量Ｅ25が規定値ＥAよりも少ないときには、処理はステップ１０３からステップ１０４に進み、このステップ１０４において、残量Ｅ25が規定値ＥBよりも多いか否かが判別され、多いときには、処理はステップ１０４からステップ１１２に進み、子機１０は低消費電力モードにおけるスニフモードに設定されるとともに、間欠受信のインターバル値が長い値に設定され、その後、ステップ１１５によりルーチン１００を終了する。
【００３０】
しかし、ステップ１０４において、残量Ｅ25が規定値ＥBよりも少ないときには、処理はステップ１０４からステップ１０５に進み、このステップ１０５において、残量Ｅ25が規定値ＥCよりも多いか否かが判別され、多いときには、処理はステップ１０５からステップ１１３に進み、子機１０は低消費電力モードにおけるパークモードに設定されるとともに、間欠受信のインターバル値が短い値に設定され、その後、ステップ１１５によりルーチン１００を終了する。
【００３１】
さらに、ステップ１０５において、残量Ｅ25が規定値ＥCよりも少ないときには、処理はステップ１０５からステップ１１４に進み、子機１０は低消費電力モードにおけるパークモードに設定されるとともに、間欠受信のインターバル値が長い値に設定され、その後、ステップ１１５によりルーチン１００を終了する。
【００３２】
したがって、ルーチン１００によれば、図２の制御を実現することができ、より長い時間にわたる子機１０の使用を実現することができるとともに、着信時、電池２５の残量が多いほど迅速な応答ができる。
【００３３】
なお、充電式電池２５が例えばニッケル・カドミウム電池の場合には、その端子電圧の大きさは電池２５の残量にかかわらずほぼ一定となるが、そのような場合には、電池２５の放電量を測定することにより残量を検出することができる。また、上述においては、この発明をコードレス電話機の子機に適用した場合であるが、充電式電池を動作電源とする無線端末機において、親機（無線基地局）との間の通信にブルートゥースを採用する機器であれば、この発明を適用することができる。
【図面の簡単な説明】
【００３４】
【図１】この発明の一形態を示す系統図である。
【図２】この発明における処理内容の一形態を示す図である。
【図３】図２の処理を実現する方法の一形態を示すフローチャートである。
【符号の説明】
【００３５】
１０…子機、１３…デジタル処理回路、１４…送受信回路、２１…システム制御回路、２５…充電式電池、２８…検出回路、３０…充電台、４０…親機、５０…電話回線、１００…制御ルーチン
【図１】
2006254317.tif 000003
【図２】
2006254317.tif 000004
【図３】
2006254317.tif 000005